(57)【要約】【課題】本発明は、頭部に装着されて使用される表示装置に関し、表示部の非使用時に装着者にとって比較的邪魔にならず、かつ、見栄えの良い表示装置を提供することを目的とする。【解決手段】装着者に画像を表示するための表示手段と、前記表示手段を支持する支持手段と、前記支持手段を支持し顔の前面にかからない位置に装着される装着手段とを備え、前記装着手段の装着時に、前記表示手段は、前記装着者の眼前の位置である使用時位置と、前記装着者の耳の近傍位置である非使用時位置とに移動可能とされていることを特徴とする。【選択図】      図１
2004236189.tif 000002
【特許請求の範囲】
【請求項１】
装着者に画像を表示するための表示手段と、
前記表示手段を支持する支持手段と、
前記支持手段を支持し顔の前面にかからない位置に装着される装着手段と、
を備え、
前記装着手段の装着時に、前記表示手段は、前記装着者の眼前の位置である使用時位置と、前記装着者の耳の近傍位置である非使用時位置とに移動可能とされていることを特徴とする表示装置。
【請求項２】
請求項１記載の表示装置において、
前記表示手段の前記非使用時位置は、前記耳の側方であることを特徴とする表示装置。
【請求項３】
請求項１記載の表示装置において、
前記表示手段の前記非使用時位置は、前記耳の上方であることを特徴とする表示装置。
【請求項４】
請求項１記載の表示装置において、
前記表示手段の前記非使用時位置は、前記耳の後方であることを特徴とする表示装置。
【請求項５】
装着者に画像を表示するための表示手段と、
前記表示手段を支持する支持手段と、
前記支持手段を支持し顔の前面にかからない位置に装着される装着手段と、
を備え、
前記装着手段の装着時に、前記表示手段は、前記装着者の眼前の位置である使用時位置と、前記装着者の後頭部近傍の位置である非使用時位置とに移動可能とされていることを特徴とする表示装置。
【請求項６】
装着者に画像を表示するための表示手段と、
前記表示手段を支持する支持手段と、
前記支持手段を支持し顔の前面にかからない位置に装着される装着手段と、
を備え、
前記装着手段の装着時に、前記表示手段は、前記装着者の眼前の位置である使用時位置と、前記使用時位置と装着者の耳部との間の位置である非使用時位置とに移動可能とされていることを特徴とする表示装置。
【請求項７】
請求項１ないし請求項６のいずれか１項記載の表示装置において、
前記装着手段は、
前記装着者の頭部に保持される少なくとも２点の保持部と、
前記保持部を連結する連結部と、
を有することを特徴とする表示装置。
【請求項８】
請求項７記載の表示装置において、
前記保持部は、前記装着者の耳部を押圧する耳当て部からなることを特徴とする表示装置。
【請求項９】
請求項８記載の表示装置において、
前記耳当て部は、音声出力手段を有することを特徴とする表示装置。
【請求項１０】
請求項８または請求項９記載の表示装置において、
非使用時前記耳当て部に、前記表示部を係合することを特徴とする表示装置。
【請求項１１】
請求項７ないし請求項９のいずれか１項記載の表示装置において、
非使用時前記連結部に、前記表示部を係合することを特徴とする表示装置。
【請求項１２】
請求項１ないし請求項１１のいずれか１項記載の表示装置において、
前記表示部が前記非使用時位置に位置することを検出して前記表示部の電源または映像をオフにする手段を有することを特徴とする表示装置。
【発明の詳細な説明】
【０００１】
【発明の属する技術分野】
本発明は、表示装置に係わり、特に、頭部に装着されて使用される表示装置に関する。
【０００２】
【従来の技術】
従来、頭部に装着されて使用される表示装置として、例えば、特開平８−３０５２９８号公報に開示されるものが知られている。
この公報に開示される表示装置では、表示部を保持する保持部が、所謂ヘアバンド形状をしており、額に保持部を装着することにより、表示部が眼前に保持される。
【０００３】
【特許文献１】
特開平８−３０５２９８号公報
【０００４】
【発明が解決しようとする課題】
しかしながら、このような従来の表示装置では、頭部への装着時に、表示部を保持する保持部が、額に沿って横に位置されるため、比較的邪魔であるという問題があった。
【０００５】
また、特に女性では、保持部に化粧等が付着するという問題があった。
そして、頭部への装着時に、表示部を使用しない時にも、保持部から表示部が大きく突出するため、装着者にとって邪魔であり、また、見栄えが悪いという問題があった。
本発明は、かかる従来の問題を解決したもので、表示部の非使用時に装着者にとって比較的邪魔にならず、かつ、見栄えの良い表示装置を提供することを目的とする。
【０００６】
【課題を解決するための手段】
請求項１の表示装置は、装着者に画像を表示するための表示手段と、前記表示手段を支持する支持手段と、前記支持手段を支持し顔の前面にかからない位置に装着される装着手段とを備え、前記装着手段の装着時に、前記表示手段は、前記装着者の眼前の位置である使用時位置と、前記装着者の耳の近傍位置である非使用時位置とに移動可能とされていることを特徴とする。
【０００７】
請求項２の表示装置は、請求項１記載の表示装置において、前記表示手段の前記非使用時位置は、前記耳の側方であることを特徴とする。
請求項３の表示装置は、請求項１記載の表示装置において、前記表示手段の前記非使用時位置は、前記耳の上方であることを特徴とする。
請求項４の表示装置は、請求項１記載の表示装置において、前記表示手段の前記非使用時位置は、前記耳の後方であることを特徴とする。
【０００８】
請求項５の表示装置は、装着者に画像を表示するための表示手段と、前記表示手段を支持する支持手段と、前記支持手段を支持し顔の前面にかからない位置に装着される装着手段とを備え、前記装着手段の装着時に、前記表示手段は、前記装着者の眼前の位置である使用時位置と、前記装着者の後頭部近傍の位置である非使用時位置とに移動可能とされていることを特徴とする。
【０００９】
請求項６の表示装置は、装着者に画像を表示するための表示手段と、前記表示手段を支持する支持手段と、前記支持手段を支持し顔の前面にかからない位置に装着される装着手段とを備え、前記装着手段の装着時に、前記表示手段は、前記装着者の眼前の位置である使用時位置と、前記使用時位置と装着者の耳部との間の位置である非使用時位置とに移動可能とされていることを特徴とする。
【００１０】
請求項７の表示装置は、請求項１ないし請求項６のいずれか１項記載の表示装置において、前記装着手段は、前記装着者の頭部に保持される少なくとも２点の保持部と、前記保持部を連結する連結部とを有することを特徴とする。
請求項８の表示装置は、請求項７記載の表示装置において、前記保持部は、前記装着者の耳部を押圧する耳当て部からなることを特徴とする。
【００１１】
請求項９の表示装置は、請求項８記載の表示装置において、前記耳当て部は、音声出力手段を有することを特徴とする。
請求項１０の表示装置は、請求項８または請求項９記載の表示装置において、非使用時前記耳当て部に、前記表示部を係合することを特徴とする。
【００１２】
請求項１１の表示装置は、請求項７ないし請求項９のいずれか１項記載の表示装置において、非使用時前記連結部に、前記表示部を係合することを特徴とする。
請求項１２の表示装置は、請求項１ないし請求項１１のいずれか１項記載の表示装置において、前記表示部が前記非使用時位置に位置することを検出して前記表示部の電源または映像をオフにする手段を有することを特徴とする。
【００１３】
【発明の実施の形態】
以下、本発明の実施形態を図面を用いて詳細に説明する。
（第１の実施形態）
図１は、本発明の表示装置の第１の実施形態を示している。
この実施形態の表示装置は、装着者Ｍに画像を表示するための表示手段である表示部１１を有している。
【００１４】
この実施形態では、表示部１１は、装着者Ｍの左目ＬＩにのみ画像を表示する。
表示部１１は、支持手段である支持部１３を介して装着手段１５に支持されている。
装着手段１５は、頭部Ｈの前面、すなわち、顔Ｆにかからない位置に装着可能とされている。
【００１５】
装着手段１５は、２箇所の保持部である耳当て部１７，１９と、耳当て部１７，１９を連結する連結部２１とを有している。
耳当て部１７，１９は、接続部２３を介して連結部２１に固定され、顔Ｆの両側となる耳部Ｙの位置に配置されている。
なお、ここで耳部Ｙとは、耳の外部の外側から見える部分をいう。
【００１６】
また、連結部２１は、顔Ｆと反対側の後頭部ＨＢに位置されている。
連結部２１は、後頭部ＨＢに沿った曲線状に形成されている。
連結部２１は、例えば、弾性を有する樹脂により形成されている。
【００１７】
この実施形態では、耳当て部１７，１９には、音声出力手段であるスピーカ２５が配置されている。
そして、図２および図３に示すように、支持部１３は、表示部１１を装着者Ｍの左目ＬＩの眼前に配置する位置から、耳部Ｙの横に水平に移動できるようになっている。
【００１８】
すなわち、この実施形態では、装着手段１５の装着時に、表示部１１は、装着者Ｍの眼前の位置である使用時位置と、装着者Ｍの耳部Ｙの横となる位置である非使用時位置とに移動可能となっている。
支持部１３は、頭部側方の輪郭に沿った曲線状に形成されている。
支持部１３は、例えば、弾性を有する樹脂により形成されている。
【００１９】
そして、支持部１３は、側頭部に沿って移動可能となっている。
この実施形態では、支持部１３は、装着手段１５の連結部２１に収容可能とされ、連結部２１に沿って移動可能となっている。
すなわち、この実施形態では、図４に示すように、連結部２１にはその長手方向に沿って断面矩形状の穴部２１ａが形成されている。
【００２０】
そして、この穴部２１ａには、断面矩形状の支持部１３が挿入され、支持部１３は穴部２１ａに沿って移動可能となっている。
図５は、表示部１１の詳細を示しており、本体部２７内には、画像を表示する液晶パネル２９と、液晶パネル２９の画像を拡大して装着者Ｍの左目ＬＩに表示するためのレンズ３１，３３が配置されている。
【００２１】
上述した表示装置は、図１に示したように、装着手段１５の連結部２１が、装着者Ｍの後頭部ＨＢ側になるようにして、２箇所の耳当て部１７，１９を耳部Ｙに当てることにより、装着者Ｍの頭部Ｈに装着される。
【００２２】
そして、この状態では、連結部２１の弾性により、２箇所の耳当て部１７，１９は耳部Ｙを軽く押圧し、表示装置が、装着者Ｍの頭部Ｈに確実に装着される。
そして、装着者Ｍが、表示部１１の画像を見る場合には、指により表示部１１を引き出す。すると図１に示すように、支持部１３が、装着手段１５の連結部２１から引き出され、表示部１１が、左目ＬＩの前方の使用時位置に配置される。
【００２３】
一方、表示部１１を見ない時には、指により表示部１１を後方に押す。すると図２および図３に示すように、支持部１３が装着手段１５の連結部２１に収納され、表示部１１が、耳当て部１７の外側で耳部Ｙの横となる非使用時位置に配置される。
上述した表示装置では、表示部１１を、装着者Ｍの眼前の位置である使用時位置と、装着者Ｍの耳部Ｙの横となる位置である非使用時位置とに移動可能にしたので、表示部１１の非使用時に装着者Ｍにとって比較的邪魔にならず、かつ、見栄えの良い表示装置を提供することができる。
【００２４】
すなわち、上述した表示装置では、頭部Ｈへの装着時に、表示部１１を使用しない時には、表示部１１が耳部Ｙの横の非使用時位置に配置され、表示部１１が装着者Ｍの視界から外れるため、装着者Ｍにとって表示部１１が邪魔になることを解消することができる。
また、表示部１１を使用しない時には、表示部１１が耳部Ｙの横の非使用時位置に配置されるが、この部分は、耳部Ｙが突出している場所であり、この部分に表示部１１を配置することにより見栄えの悪さを低減することができる。
【００２５】
さらに、上述した表示装置では、頭部Ｈへの装着時に、装着手段１５が顔Ｆの前面にかからない位置で装着されるため、装着手段１５が邪魔になることを低減することができる。
また、特に女性では、装着手段１５に化粧等が付着することを無くすことができる。
【００２６】
さらに、上述した表示装置では、支持部１３を、連結部２１に収容されるようにしたので、表示部１１を使用しない時に、支持部１３を連結部２１にコンパクトに収容することができる。
そして、表示部１１の表示面をカバーすることができ表示面の傷付きも防止できる。
【００２７】
また、上述した表示装置では、両耳部Ｙに耳当て部１７，１９を配置したので、装着手段１５を頭部Ｈに確実に保持することができる。
そして、上述した表示装置では、耳当て部１７，１９に、スピーカ２５を併設したので、画像の認識とともに音声の認識を行うことができる。
（第２の実施形態）
図６および図７は、本発明の表示装置の第２の実施形態を示している。
【００２８】
この実施形態において第１の実施形態と同一の部材には、同一の符号を付して詳細な説明を省略する。
この実施形態の表示装置では、装着者Ｍの左側の耳当て部１７が、右側の耳当て部１９より厚くなっている。
そして、装着者Ｍの左側の耳当て部１７に凹部１７ａが形成されている。
【００２９】
この凹部１７ａは、前後方向に切り欠かれ、凹部１７ａ内に表示部１１が係合可能とされている。
また、連結部２１内に挿入される支持部１３の後端には、図７に示すように、スイッチ部材３５が設置されている。
このスイッチ部材３５は、支持部１３の後端から後方に向けて付勢されており、押圧されると表示部１１の電源をオフにし、押圧されていない時には、表示部１１の電源をオンに維持する。
【００３０】
すなわち、連結部２１内に支持部１３を完全に挿入すると、スイッチ部材３５が連結部２１の奥（壁）面に押圧され、表示部１１の電源がオフになる。
この実施形態の表示装置では、装着者Ｍが、表示部１１の画像を見る場合には、指により表示部１１を引き出す。すると図６および図７に二点鎖線で示すように、支持部１３が連結部２１から引き出され、表示部１１が、左目ＬＩの前方の使用時位置に配置される。
【００３１】
そして、支持部１３が連結部２１から引き出されると、スイッチ部材３５がオンされ、表示部１１の電源がオンになる。
一方、表示部１１を見ない時には、指により表示部１１を後方に押す。すると図６および図７に実線で示すように、支持部１３が連結部２１に収納され、表示部１１が、耳当て部１７の凹部１７ａに係合される。
【００３２】
そして、この非使用時位置では、支持部１３が連結部２１に完全に挿入され、スイッチ部材３５が連結部２１の奥面に押圧され、表示部１１の電源がオフになる。
この第２の実施形態においても第１の実施形態と略同様の効果を得ることができる。
【００３３】
そして、この実施形態では、表示部１１を使用しない時には、表示部１１が耳当て部１７の凹部１７ａ内に係合するため、見栄えをより向上することができる。
また、スイッチ部材３５により、表示部１１が非使用時位置にあることを検出して表示部１１の電源をオフにするようにしたので、表示部１１の電源のオン，オフを自動的に行うことができる。
【００３４】
なお、この実施形態では、スイッチ部材３５の押圧により表示部１１の電源をオフにした例について説明したが、本発明はかかる実施形態に限定されるものではなく、例えば、スイッチ部材３５の押圧により表示部１１の映像のみをオフにしても良い。
（第３の実施形態）
図８および図９は、本発明の表示装置の第３の実施形態を示している。
【００３５】
この実施形態において第１の実施形態と同一の部材には、同一の符号を付して詳細な説明を省略する。
この実施形態の表示装置では、連結部２１の装着者Ｍの左側端となる位置に、凹部２１ｂが一体形成されている。
この凹部２１ｂは、前方に向けて開口され、凹部２１ｂ内に表示部１１が係合可能とされている。
【００３６】
また、表示部１１の後端には、スイッチ部材３７が設置されている。
このスイッチ部材３７は、収納される方向に向けて付勢されており、押圧により表示部１１の電源をオフにし、押圧されていない時には、表示部１１の電源をオンに維持する。
すなわち、連結部２１の凹部２１ｂ内に表示部１１を完全に挿入すると、スイッチ部材３７が凹部２１ｂの奥（壁）面に押圧され、表示部１１の電源がオフにされる。
【００３７】
この実施形態の表示装置では、装着者Ｍが、表示部１１の画像を見る場合には、指により表示部１１を引き出す。すると図８および図９に二点鎖線で示すように、支持部１３が連結部２１から引き出され、表示部１１が、左目ＬＩの前方の使用時位置に配置される。
そして、表示部１１が連結部２１の凹部２１ｂから引き出されると、スイッチ部材３７がオンになり、表示部１１の電源がオンになる。
【００３８】
一方、表示部１１を見ない時には、指により表示部１１を後方に押す。すると図８および図９に実線で示すように、支持部１３が連結部２１に収納され、表示部１１が、連結部２１の凹部２１ｂと係合する。
そして、この非使用時位置では、表示部１１が凹部２１ｂに完全に挿入され、スイッチ部材３７が凹部２１ｂの奥面に押圧され、表示部１１の電源がオフになる。
【００３９】
この第３の実施形態においても第１の実施形態と略同様の効果を得ることができる。
そして、この実施形態では、表示部１１を使用しない時には、表示部１１が連結部２１の凹部２１ｂ内に係合されるため、見栄えをより向上することができる。
また、スイッチ部材３７により、表示部１１が非使用時位置にあることを検出して表示部１１の電源をオフにするようにしたので、表示部１１の電源のオン，オフを自動的に行うことができる。
【００４０】
なお、この実施形態では、スイッチ部材３７の押圧により表示部１１の電源をオフにした例について説明したが、本発明はかかる実施形態に限定されるものではなく、例えば、スイッチ部材３７の押圧により表示部１１の映像のみをオフにしても良い。
（第４の実施形態）
図１０は、本発明の表示装置の第４の実施形態を示している。
【００４１】
この実施形態において第１の実施形態と同一の部材には、同一の符号を付して詳細な説明を省略する。
この実施形態の表示装置では、表示部１１の非使用時位置は、耳部Ｙの上側近傍である。
すなわち、この実施形態では、耳当て部１７の上側に連結部２１が配置され、支持部１３を連結部２１に挿入することにより、表示部１１は耳当て部１７の上側に位置する。
【００４２】
この実施形態の表示装置では、装着者Ｍが、表示部１１の画像を見る場合には、指により表示部１１を引き出す。すると図１０に二点鎖線で示すように、支持部１３が連結部２１から引き出され、表示部１１が、左目ＬＩの前方の使用時位置に配置される。
【００４３】
一方、表示部１１を見ない時には、指により表示部１１を後方に押す。すると図１０に実線で示すように、支持部１３が連結部２１に収納され、表示部１１が、耳部Ｙの上の非使用時位置に配置される。
この第４の実施形態においても第１の実施形態と略同様の効果を得ることができる。
【００４４】
そして、この実施形態では、眼鏡のテンプルの直線部分に沿った軌跡で支持部１３の出し入れが行われるため、眼鏡の装着者Ｍにとって眼鏡との一体感を得ることができる。
（第５の実施形態）
図１１は、本発明の表示装置の第５の実施形態を示している。
【００４５】
この実施形態において第１の実施形態と同一の部材には、同一の符号を付して詳細な説明を省略する。
この実施形態の表示装置では、表示部１１の非使用時位置は、耳部Ｙの後側近傍である。
すなわち、この実施形態では、耳当て部１７の後側に連結部２１が配置され、支持部１３を連結部２１に挿入することにより、表示部１１は耳当て部１７の後側に位置する。
【００４６】
この実施形態の表示装置では、装着者Ｍが、表示部１１の画像を見る場合には、指により表示部１１を引き出す。すると図１１に二点鎖線で示すように、支持部１３が連結部２１から引き出され、表示部１１が、左目ＬＩの前方の使用時位置に配置される。
一方、表示部１１を見ない時には、指により表示部１１を後方に押す。すると図１１に実線で示すように、支持部１３が連結部２１に収納され、表示部１１が、耳部Ｙの後の非使用時位置に配置される。
【００４７】
この第５の実施形態においても第１の実施形態と略同様の効果を得ることができる。
そして、この実施形態では、表示部１１を使用しない時には耳部Ｙの後側に表示部１１が位置する。その結果、表示部１１が頭部Ｈの側方に大きく突出することがなくなり、電車等の混雑時に他人に迷惑をかけるおそれ、あるいは、他人が表示部１１に接触するおそれを低減することができる。
【００４８】
（第６の実施形態）
図１２は、本発明の表示装置の第６の実施形態を示している。
この実施形態において第１の実施形態と同一の部材には、同一の符号を付して詳細な説明を省略する。
この実施形態の表示装置では、支持部１３Ａの表示部１１と反対側の端部が、装着手段１５Ａの連結部２１Ａの端部に、回転可能に連結されている。
【００４９】
すなわち、支持部１３Ａの表示部１１と反対側の端部が、装着手段１５Ａの連結部２１Ａの端部に、ピン部材３９を介して、回転可能に連結されている。
そして、表示部１１の非使用時位置は、後頭部ＨＢの位置となっている。
また、この非使用時位置において、表示部１１の表示面１１ａは、連結部２１Ａと対面する。
【００５０】
この表示装置では、装着者Ｍが、表示部１１の画像を見る場合には、支持部１３Ａを、指により回転させ前方に向ける。すると図１２に二点鎖線で示すように、表示部１１の表示面１１ａが、左目ＬＩの前方の使用時位置に配置される。
一方、表示部１１を見ない非使用時には、指により表示部１１を回転する。すると図１２に実線で示すように、支持部１３Ａが後方に向けて回転し、表示部１１が、連結部２１Ａの後方に配置される。
【００５１】
この第６の実施形態においても第１の実施形態と略同様の効果を得ることができる。
そして、この実施形態では、表示部１１の非使用時に、後頭部ＨＢの近傍位置に表示部１１を配置するため、表示部１１が頭部Ｈから側方に大きく突出することがなくなり、電車等の混雑時に他人に迷惑をかけるおそれ、あるいは、他人が表示部１１に接触するおそれを低減することができる。
【００５２】
また、表示部１１の表示面１１ａが、連結部２１の近傍に対向して位置するため、表示面１１ａが損傷することを有効に防止することができる。
なお、この実施形態では、表示部１１の非使用時位置を、後頭部ＨＢの位置とした例について説明したが、本発明はかかる実施形態に限定されるものではなく、例えば、後頭部ＨＢの下方近傍の位置にしても良い。
【００５３】
（第７の実施形態）
図１３は、本発明の表示装置の第７の実施形態を示している。
この実施形態において第１の実施形態と同一の部材には、同一の符号を付して詳細な説明を省略する。
この実施形態の表示装置では、支持部１３Ｂの表示部１１と反対側の端部が、装着手段１５Ｂの連結部２１Ｂの端部に、回転可能に連結されている。
【００５４】
すなわち、支持部１３Ｂの表示部１１と反対側の端部が、装着手段１５Ｂの連結部２１Ｂの端部に、ピン部材４１を介して、回転可能に連結されている。
そして、表示部１１の非使用時位置は、後頭部ＨＢの位置となっている。
また、この非使用時位置において、表示部１１は連結部２１Ｂに係合する。
すなわち、連結部２１Ｂには、表示部１１が係合される係合部２１ｄが形成されている。
【００５５】
そして、この係合部２１ｄは、表示部１１の表示面１１ａが対向するように表示部１１と係合する。
この表示装置では、装着者Ｍが、表示部１１の画像を見る場合には、支持部１３Ｂを、指により前方に向けて回転する。すると図１３に二点鎖線で示すように、表示部１１の表示面１１ａが、左目ＬＩの前方の使用時位置に配置される。
【００５６】
一方、表示部１１を見ない非使用時には、指により表示部１１を回転する。すると図１３に実線で示すように、支持部１３Ｂが後方に向けて回転し、表示部１１が、連結部２１Ｂの係合部２１ｄに係合する。
この第７の実施形態においても第１の実施形態と略同様の効果を得ることができる。
【００５７】
そして、この実施形態では、表示部１１の非使用時に、後頭部ＨＢの近傍位置に表示部１１が位置するため、表示部１１が頭部Ｈの側方に大きく突出することがなくなり、電車等の混雑時に他人に迷惑をかけるおそれ、あるいは、他人が表示部１１に接触するおそれを低減することができる。
また、表示部１１の表示面１１ａが、連結部２１Ｂの係合部２１ｄに対向して係合するため、表示面１１ａを損傷することを確実に防止することができる。
【００５８】
（第８の実施形態）
図１４は、本発明の表示装置の第８の実施形態を示している。
この実施形態において第１の実施形態と同一の部材には、同一の符号を付して詳細な説明を省略する。
この実施形態の表示装置では、表示部１１の非使用時位置が、装着者Ｍの眼前の位置である使用時位置と、耳部Ｙとの間の位置となっている。
【００５９】
この実施形態の表示装置では、装着者Ｍが、表示部１１の画像を見る場合には、指により表示部１１を引き出す。すると図１４に二点鎖線で示すように、支持部１３Ｃが連結部２１Ｃから引き出され、表示部１１が、左目ＬＩの前方の使用時位置に配置される。
一方、表示部１１を見ない時には、指により表示部１１を後方に押す。すると図１４に実線で示すように、支持部１３Ｃの一部が連結部２１Ｃに収納され、表示部１１が、使用時位置と耳部Ｙとの間の位置の非使用時位置に配置される。
【００６０】
この実施形態では、表示部１１の非使用時位置を、装着者Ｍの眼前の位置である使用時位置と、耳部Ｙとの間としたので、表示部１１の移動距離を短くすることが可能になり、非使用時と使用時の切り換え時間を短縮することができる。
（第９の実施形態）
図１５は、本発明の表示装置の第９の実施形態を示している。
【００６１】
この実施形態において第１の実施形態と同一の部材には、同一の符号を付して詳細な説明を省略する。
この実施形態の表示装置では、装着手段１５Ｄの連結部２１Ｄの長さが短く、連結部２１Ｄの耳当て部１７と反対側の端部に、保持部１９Ａが配置されている。
そして、この保持部１９Ａは、後頭部ＨＢの右側の耳部Ｙ側に寄った位置に当接するように配置されている。
【００６２】
この表示装置では、装着者Ｍが、表示部１１の画像を見る場合には、指により表示部１１を引き出す。すると図１５に二点差線で示すように、支持部１３が装着手段１５Ｄの連結部２１Ｄから引き出され、表示部１１が、左目ＬＩの前方の使用時位置に配置される。
一方、表示部１１を見ない時には、指により表示部１１を後方に押す。すると図１５に実線で示すように、支持部１３が装着手段１５Ｄの連結部２１Ｄに収納され、表示部１１が、耳当て部１７の横の非使用時位置に配置される。
【００６３】
この第９の実施形態においても第１の実施形態と略同様の効果を得ることができる。
【００６４】
【発明の効果】
以上述べたように、本発明の表示装置では、表示部を、装着者の眼前の位置である使用時位置と、装着者の耳部の近傍等となる位置である非使用時位置とに移動可能にしたので、表示部の非使用時に装着者にとって比較的邪魔にならず、かつ、見栄えの良い表示装置を提供することができる。
【図面の簡単な説明】
【図１】本発明の表示装置の第１の実施形態において表示部を使用時位置に配置させた状態を示す斜視図である。
【図２】図１の表示装置において表示部を非使用時位置に配置させた状態を示す斜視図である。
【図３】図１の表示装置において表示部を非使用時位置に配置させた状態を示す側面図である。
【図４】図１の連結部に収容される支持部を示す断面図である。
【図５】図１の表示部を示す断面図である。
【図６】本発明の表示装置の第２の実施形態を示す斜視図である。
【図７】本発明の表示装置の第２の実施形態を示す断面図である。
【図８】本発明の表示装置の第３の実施形態を示す斜視図である。
【図９】本発明の表示装置の第３の実施形態を示す断面図である。
【図１０】本発明の表示装置の第４の実施形態を示す側面図である。
【図１１】本発明の表示装置の第５の実施形態を示す側面図である。
【図１２】本発明の表示装置の第６の実施形態を示す斜視図である。
【図１３】本発明の表示装置の第７の実施形態を示す斜視図である。
【図１４】本発明の表示装置の第８の実施形態を示す斜視図である。
【図１５】本発明の表示装置の第９の実施形態を示す斜視図である。
【符号の説明】
１１  表示部
１３  支持部
１５  装着手段
１７  耳当て部
１９  耳当て部
２１  連結部
２５  スピーカ
Ｍ  装着者
Ｆ  顔
Ｈ  頭部
ＨＢ  後頭部
Ｙ  耳部
ＬＩ  左目
【図１】
2004236189.tif 000003
【図２】
2004236189.tif 000004
【図３】
2004236189.tif 000005
【図４】
2004236189.tif 000006
【図５】
2004236189.tif 000007
【図６】
2004236189.tif 000008
【図７】
2004236189.tif 000009
【図８】
2004236189.tif 000010
【図９】
2004236189.tif 000011
【図１０】
2004236189.tif 000012
【図１１】
2004236189.tif 000013
【図１２】
2004236189.tif 000014
【図１３】
2004236189.tif 000015
【図１４】
2004236189.tif 000016
【図１５】
2004236189.tif 000017